(57)【要約】【課題】スクロール圧縮機において、始動時に早期に高効率運転に移行できるようにすること。【解決手段】スクロール圧縮機５０の圧縮機構部２０は、固定スクロール６と、旋回スクロール７と、旋回スクロール７の背面側に設けられ吸込み圧力と吐出圧力との中間圧力にされる背圧室１８とを備える。旋回スクロール７は背圧室１８から旋回スクロール台板７ａ及び旋回スクロールラップ７ｂの歯先面に貫通する細孔１４を有する。クランク軸４は密閉容器１の底部に貯留された潤滑油２１を差圧により背圧室１８に供給する給油経路を備える。圧縮機構部２０は、旋回スクロールラップ７ｂの旋回外線側圧縮室１９ａを当該旋回スクロールラップ７ｂの旋回内線側圧縮室１９ｂよりも先行して圧縮を開始する非対称圧縮室を形成する。細孔１４を旋回外線側圧縮室１９ａにのみ導通する溝１５が当該旋回スクロールラップ７ｂの歯先面に設けられている。【選択図】図１
2009162102.tif 000002
【特許請求の範囲】
【請求項１】
電動機部と、
外部より作動流体を吸入して圧縮し密閉容器内の空間に吐出する圧縮機構部と、
前記電動機部の回転力を前記圧縮機構部に伝達して当該圧縮機構部を駆動するクランク軸と、
前記電動機部、前記圧縮機構部及び前記クランク軸を内部に収納した前記密閉容器と、
前記密閉容器の底部に貯留される潤滑油と、を備え、
前記圧縮機構部は、
固定スクロール台板上に立設された固定スクロールラップを有する固定スクロールと、
旋回スクロール台板上に立設され前記固定スクロールラップと噛み合わせることにより圧縮室を形成する旋回スクロールラップを有する旋回スクロールと、
前記旋回スクロールの背面側に設けられ吸込み圧力と吐出圧力との中間圧力にされる背圧室と、を備え、
前記旋回スクロールは前記背圧室から前記旋回スクロール台板及び前記旋回スクロールラップを貫通する細孔を有し、
前記クランク軸は前記密閉容器の底部に貯留された潤滑油を差圧により前記背圧室に供給する給油経路を備えた、密閉形スクロール圧縮機において、
前記旋回スクロールラップの旋回外線側圧縮室を当該旋回スクロールラップの旋回内線側圧縮室よりも先行して圧縮を開始する非対称圧縮室を形成し、
前記細孔を前記旋回外線側圧縮室にのみ導通する溝を当該旋回スクロールラップの歯先面に設けた
ことを特徴とする密閉形スクロール圧縮機。
【請求項２】
請求項１において、冷凍空調システムまたはヒートポンプ給湯機に搭載され、前記作動流体として炭酸ガスを用いることを特徴とする密閉形スクロール圧縮機。
【請求項３】
請求項２において、前記溝を圧縮開始直後から吐出工程直前の前記旋回外線側圧縮室に連通する位置に設けたことを特徴とする密閉形スクロール圧縮機。
【請求項４】
請求項３において、前記背圧室を所定の圧力に調整する背圧調整弁を備え、前記溝が連通される旋回外線側圧縮室の圧力の積分平均と前記背圧調整弁により制御される背圧室圧力とをほぼ同等にしたことを特徴とする密閉形スクロール圧縮機。
【請求項５】
電動機部と、
外部より作動流体を吸入して圧縮し密閉容器内の空間に吐出する圧縮機構部と、
前記電動機部の回転力を前記圧縮機構部に伝達して当該圧縮機構部を駆動するクランク軸と、
前記電動機部、前記圧縮機構部及び前記クランク軸を内部に収納した前記密閉容器と、
前記密閉容器の底部に貯留される潤滑油と、を備え、
前記圧縮機構部は、
固定スクロール台板上に立設された固定スクロールラップを有する固定スクロールと、
旋回スクロール台板上に立設され前記固定スクロールラップと噛み合わせることにより圧縮室を形成する旋回スクロールラップを有する旋回スクロールと、
前記旋回スクロールの背面側に設けられ吸込み圧力と吐出圧力との中間圧力にされる背圧室と、
前記背圧室を所定の圧力に調整する背圧調整弁と、を備え、
前記旋回スクロールは前記背圧室から前記旋回スクロール台板及び前記旋回スクロールラップを貫通する細孔を有し、
前記クランク軸は前記密閉容器の底部に貯留された潤滑油を差圧により前記背圧室に供給する給油経路を備えた、密閉形スクロール圧縮機において、
前記細孔を前記圧縮室に導通する溝を当該旋回スクロールラップの歯先面に設け、
前記溝が連通される旋回外線側圧縮室の圧力の積分平均と前記背圧調整弁により制御される背圧室圧力とをほぼ同等にした
ことを特徴とする密閉形スクロール圧縮機。
【発明の詳細な説明】
【技術分野】
【０００１】
本発明は、密閉形スクロール圧縮機に係り、特に、作動冷媒として二酸化炭素を用いる冷凍空調システムまたはヒートポンプ給湯機に搭載される密閉形スクロール圧縮機に好適なものである。
【背景技術】
【０００２】
スクロール圧縮機は一般的に固定スクロールと旋回スクロールのそれぞれのラップを噛み合わせて圧縮室を構成している。圧縮工程で圧縮室の内圧が上昇すると固定スクロールと旋回スクロールを離反させる力が生じる。この離反力より大きな力となるように旋回スクロールの背圧室を吸込圧と吐出圧の中間的圧力に保ち、摩擦ロス及び圧縮室間の洩れロスを低減するような荷重で旋回スクロールを固定スクロールに押し付けて運転することが行われている。
【０００３】
この種の従来のスクロール圧縮機としては、特開２００７−１９２１８９号公報（特許文献１）に示されたものがある。
【０００４】
この特許文献１のスクロール圧縮機は、電動機部と、外部より作動流体を吸入して圧縮し密閉容器内の空間に吐出する圧縮機構部と、前記電動機部の回転力を前記圧縮機構部に伝達して当該圧縮機構部を駆動するクランク軸と、前記密閉容器の底部に貯留される潤滑油と、前記電動機部、前記圧縮機構部及び前記クランク軸を内部に収納した前記密閉容器と、を備えている。
【０００５】
そして、前記圧縮機構部は、固定スクロール台板上に立設された固定スクロールラップを有する固定スクロールと、旋回スクロール台板上に立設され前記固定スクロールラップと噛み合わせることにより圧縮室を形成する旋回スクロールラップを有する旋回スクロールと、前記旋回スクロールの背面側に設けられ吸込み圧力と吐出圧力との中間圧力にされて当該旋回スクロールを前記固定スクロール側に押し付ける背圧室と、前記背圧室から前記旋回スクロール台板及び前記旋回スクロールラップを貫通する細孔と、この細孔と前記圧縮室とを連通する溝と、前記背圧室を所定の圧力に調整する背圧調整弁と、を備えている。前記クランク軸は前記密閉容器の底部に貯留された潤滑油を差圧により前記背圧室に供給する給油穴を備えている。
【０００６】
【特許文献１】特開２００７−１９２１８９号公報
【発明の開示】
【発明が解決しようとする課題】
【０００７】
しかしながら、特許文献１では、始動時に背圧室の圧力上昇が遅れ、旋回スクロールを固定スクロールに押し付けて密着させ早期に高効率運転に移行することができない現象の対応については開示されていない。すなわち、クランク軸に設けられた給油穴を通って潤滑油を背圧室に供給して背圧室を所定の圧力に上昇させ、この背圧によって旋回スクロールを固定スクロールに押し付けて密着させる構造の密閉形スクロール圧縮機においては、密閉容器内の圧力が上昇しないと、背圧室への給油も少なく、背圧室の圧力上昇が遅くなる性質を有し、旋回スクロールを固定スクロールに押し付けて密着させ早期に高効率運転に移行することができない。特に、作動流体として二酸化炭素冷媒（Ｒ７４４冷媒）を用いる場合には、その動作圧力がＲ４１０Ａ冷媒に比較して約３倍になり、前述の始動時の問題が顕著であった。
【０００８】
本発明の目的は、始動時に早期に高効率運転に移行できるスクロール圧縮機を提供することにある。
【課題を解決するための手段】
【０００９】
前述の目的を達成するための本発明の第１の態様では、電動機部と、外部より作動流体を吸入して圧縮し密閉容器内の空間に吐出する圧縮機構部と、前記電動機部の回転力を前記圧縮機構部に伝達して当該圧縮機構部を駆動するクランク軸と、前記電動機部、前記圧縮機構部及び前記クランク軸を内部に収納した前記密閉容器と、前記密閉容器の底部に貯留される潤滑油と、を備え、前記圧縮機構部は、固定スクロール台板上に立設された固定スクロールラップを有する固定スクロールと、旋回スクロール台板上に立設され前記固定スクロールラップと噛み合わせることにより圧縮室を形成する旋回スクロールラップを有する旋回スクロールと、前記旋回スクロールの背面側に設けられ吸込み圧力と吐出圧力との中間圧力にされる背圧室と、を備え、前記旋回スクロールは前記背圧室から前記旋回スクロール台板及び前記旋回スクロールラップを貫通する細孔を有し、前記クランク軸は前記密閉容器の底部に貯留された潤滑油を差圧により前記背圧室に供給する給油経路を備えた、密閉形スクロール圧縮機において、前記旋回スクロールラップの旋回外線側圧縮室を当該旋回スクロールラップの旋回内線側圧縮室よりも先行して圧縮を開始する非対称圧縮室を形成し、前記細孔を前記旋回外線側圧縮室にのみ導通する溝を当該旋回スクロールラップの歯先面に設けたことにある。
【００１０】
係る本発明の第１の態様におけるより好ましい具体的な構成例は次の通りである。
（１）冷凍空調システムまたはヒートポンプ給湯機に搭載され、前記作動流体として炭酸ガスを用いること。
（２）前記（１）において、前記溝を圧縮開始直後から吐出工程直前の前記旋回外線側圧縮室に連通する位置に設けたこと。
（３）前記（２）において、前記背圧室を所定の圧力に調整する背圧調整弁を備え、前記溝が連通される旋回外線側圧縮室の圧力の積分平均と前記背圧調整弁により制御される背圧室圧力とをほぼ同等にしたこと。
【００１１】
また、前述の目的を達成するための本発明の第２の態様では、電動機部と、外部より作動流体を吸入して圧縮し密閉容器内の空間に吐出する圧縮機構部と、前記電動機部の回転力を前記圧縮機構部に伝達して当該圧縮機構部を駆動するクランク軸と、前記電動機部、前記圧縮機構部及び前記クランク軸を内部に収納した前記密閉容器と、前記密閉容器の底部に貯留される潤滑油と、を備え、前記圧縮機構部は、固定スクロール台板上に立設された固定スクロールラップを有する固定スクロールと、旋回スクロール台板上に立設され前記固定スクロールラップと噛み合わせることにより圧縮室を形成する旋回スクロールラップを有する旋回スクロールと、前記旋回スクロールの背面側に設けられ吸込み圧力と吐出圧力との中間圧力にされる背圧室と、前記背圧室を所定の圧力に調整する背圧調整弁と、を備え、前記旋回スクロールは前記背圧室から前記旋回スクロール台板及び前記旋回スクロールラップを貫通する細孔を有し、前記クランク軸は前記密閉容器の底部に貯留された潤滑油を差圧により前記背圧室に供給する給油経路を備えた、密閉形スクロール圧縮機において、前記細孔を前記圧縮室に導通する溝を当該旋回スクロールラップの歯先面に設け、前記溝が連通される旋回外線側圧縮室の圧力の積分平均と前記背圧調整弁により制御される背圧室圧力とをほぼ同等にしたことにある。
【発明の効果】
【００１２】
係る本発明のスクロール圧縮機によれば、始動時に早期に高効率運転に移行できる。
【発明を実施するための最良の形態】
【００１３】
以下、本発明における一実施形態について図１から図５を参照しながら説明する。図１は本発明の一実施形態のスクロール圧縮機の縦断面図、図２は図１のスクロール圧縮機の旋回スクロールの平面図、図３は図２のＡーＡ横断面図、図４は図１の圧縮機構部の歯先溝と圧縮室の位置関係を示す図、図５は図４の圧縮機構部の歯先溝が晒される圧力範囲を示す図である。
【００１４】
スクロール圧縮機５０は、電動機部２０と、外部より作動流体を吸入して圧縮し密閉容器１内の空間に吐出する圧縮機構部３０と、電動機部２０の回転力を圧縮機構部３０に伝達して当該圧縮機構部３０を駆動するクランク軸４と、このクランク軸４を支持する複数の軸受２２〜２４と、密閉容器１の底部に貯留される潤滑油２１と、これらを内部に収納した密閉容器１と、を備える。このスクロール圧縮機５０は、冷凍空調システムまたはヒートポンプ給湯機に搭載され、作動流体として二酸化炭素冷媒が用いられている。
【００１５】
密閉容器１には、外部サイクルに連通する吸込みパイプ１０と、外部サイクルに連通する吐出パイプ１２とが密封接続されている。外部サイクルから冷媒ガスが吸込みパイプ１０を通して圧縮機構部３０に吸込まれ、密閉容器１内に吐出された冷媒ガスが吐出パイプ１２を通して外部サイクルに吐出される。
【００１６】
電動機部２０は、中心部にクランク軸４を圧入して固定した回転子３と、外周が密閉容器１に焼嵌めなどにより固定された固定子４とからなる。
【００１７】
圧縮機構部３０は、固定スクロール６、旋回スクロール７、オルダムリング９、フレーム５、背圧室１７、及び背圧調整弁１７を備えている。
【００１８】
固定スクロール６は、固定スクロール台板６ａと、その上に立設された固定スクロールラップ６ｂとからなっている。旋回スクロール７は、旋回スクロール台板７ａと、その上に立設され旋回スクロールラップ７ｂと、旋回スクロール台板７ａの下に立設された旋回スクロールボス７ｃとからなっている。固定スクロール６はボルト８によりフレーム５に固定されている。
【００１９】
固定スクロール６と旋回スクロール７とは、それぞれのラップ６ｂ、７ｂを互いに噛み合わせることにより圧縮室１９を形成する。この圧縮室１９は、旋回スクローラップ７ｂの外周側に形成される旋回外線側圧縮室１９ａと、旋回スクロール７ｂの内周側に形成される旋回内線側圧縮室１９ｂとからなる。旋回外線側圧縮室１９ａと旋回内線側圧縮室１９ｂは、図５に示すように、旋回外線側圧縮室１９ａの圧縮が旋回内線側圧縮室１９ｂの圧縮より先行して行われる。即ち、圧縮機構部３０は非対称圧縮室を形成するものである。
【００２０】
オルダムリング９は、旋回スクロール７の溝とフレーム５の溝と跨って摺動自在に配設され、旋回スクロール７の自転を防止し公転を許容する自転防止手段として機能する。
【００２１】
フレーム１０は、旋回スクロール７及びオルダムリング９を支持するように配置され、外周が密閉容器１に溶接して固定されている。
【００２２】
背圧室１７は、旋回スクロール７の背面側に設けられ、固定スクロール６及びフレーム５と共に囲まれた空間で形成される。この背圧室１７には、運転中に、潤滑油２１が差圧により旋回軸受２２及び主軸受２３を通して供給され、吸込み圧力と吐出圧力との中間圧力にされる。
【００２３】
旋回スクロール７は、旋回スクロール台板７ａ及び旋回スクロールラップ７ｂを貫通する細孔１４と、この細孔１４を旋回外線側圧縮室１９ａにのみ導通する溝１５とを有している。細孔１４は旋回スクロール台板７ａの背面側と旋回スクロールラップ７ｂの歯先面に開口するように設けられている。溝１５は、圧縮開始直後の旋回外線側圧縮室１９ａと連通され、吐出工程開始直前で旋回外線側圧縮室１９ａとの連通が停止される位置に設けられている。また、溝１５は旋回スクロールラップ７ｂの歯先面に径方向に延びるように設けられている。
【００２４】
背圧調整弁１７は背圧室１８を所定の圧力に調整するものである。この背圧調整弁１７は、背圧室１８と吸込み室１６とを連通する通路と、この通路を開閉する弁体と、この弁体を押圧するバネとから構成されている。背圧室１８と吸込み室１６との圧力差が所定以上になると、弁体が開放して背圧室１８から吸込み室１６に潤滑油を流出させて背圧室１８の圧力を調整する。
【００２５】
クランク軸４は、その一側端部に偏心部４ａを有し、その偏心部４ａを旋回スクロ−ルボス７ｃに嵌入させ、電動機部５の回転力を旋回スクロ−ル７に伝達し旋回スクロール７を公転させるものである。クランク軸４の中心部には、密閉容器１の底部に貯留された潤滑油２１を差圧により複数の軸受２２〜２４へ供給するための給油穴１３が形成されている。
【００２６】
次に、図１から図３を参照しながら、スクロール圧縮機５０の基本的な作動について説明する。電動機部２０によってクランク軸４を回転駆動すると、この回転はクランク軸４の偏心部４ａから旋回軸受２２を介して旋回スクロール７に伝えられる。これにより、旋回スクロール７は固定スクロール６の軸線を中心に、所定距離の旋回半径をもって旋回運動する。この旋回運動時に旋回スクロール７が自転しないように、オルダムリング９によって拘束される。そして、旋回スクロール７の旋回運動によって、各ラップ６ｂ、７ｂの間にできる圧縮室１９は中央に連続的に移動し、その移動に従って圧縮室１９の容積が連続的に縮小する。これによって、吸入パイプ１０から吸込まれた流体を圧縮室１９内で順次圧縮し、圧縮された流体は吐出穴１１から密閉容器１内に吐出される。吐出された流体は、密閉容器１内を通って吐出パイプ１２から、冷凍サイクルに供給される。
【００２７】
一方、潤滑油２１は密閉容器１の底に貯留され、運転中の周囲の圧力は吐出圧力になっており、背圧室１８内の圧力は吐出圧力より低いため、密閉容器１の底に貯留している潤滑油２１はクランク軸４に設けた給油穴１３を通って背圧室１８に流入する。具体的には、潤滑油２１の一部はクランク軸４に設けた横孔を通って主軸受２３を潤滑しながら背圧室１８に達する。また、他の潤滑油２１は、給油穴１３を通ってクランク軸４の偏心部４ａの上部に達し、旋回軸受２２を潤滑して背圧室１８に入る。ここで、潤滑油２１は、主軸受２３および旋回軸受２２を通過する際、軸受隙間が小さいために絞られて吐出圧力より低い圧力で背圧室１８に入ることになる。背圧室１８の圧力が高くなると、背圧室１８に入った潤滑油２１は吸込み室１６への連通路に設けられた背圧調整弁１７を開いて吸込み室へ流出される。そして、圧縮室１９を通って吐出穴１１から密閉容器１内に冷媒と共に吐出され、一部は吐出パイプ１２から冷凍サイクルへ吐出され、残りは密閉容器１内で冷媒と分離されて底に貯留される。
【００２８】
そして、背圧室１８に常に流れ込んでくる潤滑油２１およびそれに溶け込んだ冷媒により背圧が高くなった場合、背圧室１８内の流体の一部は貫通孔１４及び溝１５を通って圧縮室１９内に流入する。これとともに、背圧室１８内の流体は背圧調整弁１７を通って吸込み室内に流入する。これらによって、背圧室１８の圧力が所定圧力に効率よく調整される。なお、背圧調整弁１７から吸込み室１６に逃がす代わりに、圧縮初期の圧縮室に流体を逃がすことにより所定の背圧に保つようにしてもよい。
【００２９】
次に、図４及び図５を参照しながら、細孔１４及び溝１５を用いた背圧室１８の圧力上昇について具体的に説明する。
【００３０】
旋回スクロール７の公転に伴い吸込み室１６から冷媒が吸込まれ、冷媒の圧縮が開始されると、大部分の冷媒ガスは吐出穴１１に至るまで圧縮された後密閉容器内に吐出される。密閉容器１内の圧力上昇に伴い、密閉容器１下部に貯溜された潤滑油２１は、差圧によりクランク軸４に穿設された給油穴１３から旋回軸受２２及び主軸受２３を通り背圧室１８に供給され、背圧室１８内の圧力を上昇させる。
【００３１】
しかし、密閉容器１内の空間が大きいため、密閉容器１内の圧力はゆっくりと上昇する。このため、潤滑油２１を背圧室１８へ供給するための差圧がゆっくりと上昇することとなり、十分な供給量が得られない。これにより、潤滑油２１による背圧室１８の圧力上昇はゆっくりしたものとなる。従って、潤滑油２１による背圧室１８の圧力上昇のみに依存すると、始動時に旋回スクロール７の固定スクロール６への押し付け力が弱く、旋回スクロールラップ７ｂと固定スクロールラップ６ｂとのクリアランスが大きいものとなり、圧縮効率の低下を招く。
【００３２】
そこで、本実施形態では、旋回外線側圧縮室１９ａの冷媒ガスの一部を旋回スクロールラップ７ｂの歯先面に配設された溝１５及び細孔１４を通して背圧室１８に送出するようにしたものである。
【００３３】
すなわち、圧縮が開始されると、圧縮室１９としてまず旋回外線側圧縮室１９ａが先行して形成される。圧縮が開始された直後には、図４（ａ）及び図５の（ａ）に示すように、溝１５が旋回外線側圧縮室１９ａに連通され、旋回外線側圧縮室１９ａ内の作動流体の一部が溝１５及び細孔１４を通して背圧室１８に供給される。そして、旋回スクロール７がさらに回転すると、図４（ｂ）及び図５の（ｂ）に示すように、溝１５が旋回外線側圧縮室１９ａに継続して連通され、旋回外線側圧縮室１９ａ内のさらに圧縮された作動流体の一部が溝１５及び細孔１４を通して背圧室１８に供給される。この状態から旋回内線側圧縮室１９ｂの圧縮が開始される。そして、旋回スクロール７がさらに回転すると、図４（ｃ）及び図５の（ｃ）に示すように、溝１５と旋回外線側圧縮室１９ａとの連通が閉じられる。なお、旋回内線側圧縮室１９ｂの圧縮はこの状態から図５に示すように更に進むこととなる。
【００３４】
ここで、溝１５及び細孔１４を通して背圧室１８に供給されることによる背圧室１８の圧力は、旋回外線側圧縮室１９ａの圧力のほぼ積分平均となる。従って、図５から明らかなように、旋回外線側圧縮室１９ａの圧力の積分平均の方が旋回内線側圧縮室１９ｂの圧力の積分平均よりも早く、大きくなるので、始動時に背圧室１８の圧力を迅速に上昇することができる。これによって、始動時の密閉容器内の圧力が充分上昇するのを待たなくても先回スクロール背面圧力を上昇させることができ、旋回スクロールを固定スクロールに押し付けて密着させ早期に高効率運転に移行できる。
【００３５】
さらに、二酸化炭素冷媒（Ｒ７４４）のように動作圧力がＲ４１０Ａ冷媒に比較して約３倍になるような高圧作動冷媒の場合に、始動時に背圧が充分でなく、旋回スクロールが固定スクロールから離れて正常な運転ができなくなる現象を防ぐことに対し顕著な効果を得ることができる。
【００３６】
上述した歯先面の溝１５及び細孔１４により創生される背圧室１８の圧力は上述したように溝１５および細孔１４が連通される旋回外線側圧縮室１９ａの圧力のほぼ積分平均となるが、本実施形態では、背圧調整弁１７により制御される背圧室圧力とほぼ同等となるよう設定されている。そうすることにより、溝１５および細孔１４から背圧室１８に送出された冷媒ガスが背圧調整弁１７から吸込室１６または圧縮初期の圧縮室に漏出して圧縮ロスが発生することを防ぐことができる。
【００３７】
また、本実施形態によれば、液戻り運転時に一時的に圧縮室圧力が上昇し、旋回スクロール７を固定スクロール６から引き離す力が増加した時にも、圧縮室圧力の増加にリンクして背圧室１８の圧力も上昇するので、旋回スクロール７が揺動して回転するような不安定運転を防止することができる。
【図面の簡単な説明】
【００３８】
【図１】本発明の一実施形態のスクロール圧縮機の縦断面図である。
【図２】図１のスクロール圧縮機の旋回スクロールの平面図である。
【図３】図２のＡーＡ横断面図である。
【図４】図１の圧縮機構部の歯先溝と圧縮室の位置関係を示す図である。
【図５】図４の圧縮機構部の歯先溝が晒される圧力範囲を示す図である。
【符号の説明】
【００３９】
１…密閉容器、２…ステータ、３…ロータ、４…クランク軸、５…フレーム、６…固定スクロール、６ａ…固定スクロール台板、６ｂ…固定スクロールラップ、７…旋回スクロール、７ａ…旋回スクロール台板、７ｂ…旋回スクロールラップ、７ｃ…旋回スクロールボス、８…ボルト、９…オルダムリング、１０…吸込みパイプ、１１…吐出穴、１２…吐出パイプ、１３…給油穴、１４…細孔、１５…溝、１６…吸込み室、１７…背圧調整弁、１８…背圧室、１９…圧縮室、１９ａ…旋回外周側圧縮室、１９ｂ…旋回内周側圧縮室、２０…電動機部、２１…潤滑油、３０…圧縮機構部、５０…スクロール圧縮機。
【図１】
2009162102.tif 000003
【図２】
2009162102.tif 000004
【図３】
2009162102.tif 000005
【図４】
2009162102.tif 000006
【図５】
2009162102.tif 000007